(57)【要約】【課題】硬さ試験機において試料が載置される試料固定装置の試料台に、フィルム状の試料が密着し、固定されることを可能にする。【解決手段】試料固定装置１０の試料台２の、試料Ｓを載置する載置面２ａを、断面視略円弧状に隆起した曲面に形成し、その載置面２ａに沿って試料Ｓを均等な当接力で押える試料押えバンド３を備える構成にした。【選択図】　　　図１
2004028614.tif 000002
【特許請求の範囲】
【請求項１】
圧子を介して所定の試験力を試料に伝達し、試料に生じたくぼみから試料の硬さを測定する硬さ試験機において試料を固定するために用いられる硬さ試験機用試料固定装置であって、
前記試料を載置する載置面が断面視略円弧状に隆起した曲面である試料台と、
前記試料台の前記載置面に沿って試料を押える試料押え部材と、
を備えたことを特徴とする硬さ試験機用試料固定装置。
【請求項２】
請求項１に記載の硬さ試験機用試料固定装置において、
前記載置面の曲率が異なる複数の試料台が交換可能であることを特徴とする硬さ試験機用試料固定装置。
【請求項３】
請求項１又は２に記載の硬さ試験機用試料固定装置において、
前記試料押え部材による前記試料台の前記載置面への当接力を調整する当接力調整手段を備えたことを特徴とする硬さ試験機用試料固定装置。
【発明の詳細な説明】
【０００１】
【発明の属する技術分野】
本発明は、硬さ試験機において試料が載置される試料固定装置に関する。
【０００２】
【従来の技術】
従来、硬さ試験機では、試料台上に試料を固定し、試料の上方から試料に圧子を所定の力で押し付け、試料に生じた窪みの大きさや深さ等から硬さを求めている。このような硬さ試験機で硬さを測定する試料は多種多様にわたっており、その試料に応じた様々な試料固定装置がある。
図５はその一例を示すもので、薄い試料を固定する試料固定装置１００である。この試料固定装置１００の試料台１１０上に薄い試料を載置し、その上に試料押えバンド１２０を掛け渡して押え付けることにより試料を固定する。
【０００３】
【発明が解決しようとする課題】
しかしながら、試料台１１０の試料載置面１１１が平面であると、試料台１１０に掛け渡された試料押えバンド１２０が試料台１１０を押え付ける力は、試料載置面１１１の縁部１１１ａにはかかるが、中央部１１１ｂにはあまりかからず、不均一である（図６の力を示す矢印ｆ参照）。
このような試料固定装置１００に、剛性がないフィルム状の試料Ｓを載置する場合、試料台１１０に載置された試料Ｓの各部に対して不均一な付勢力が掛かることにより、フィルム状の試料にうねり、波うちが生じることがある。フィルム状の試料にうねり、波うちが生じ、試料台１１０、試料載置面１１１から浮いた状態での試料の硬さ測定においては、圧子の侵入量を正確に測定することができないため、測定誤差が大きくなるという問題があった。
【０００４】
本発明の課題は、硬さ試験機において試料が載置される試料固定装置において、試料が試料台に確実に密着して固定される試料固定装置を提供することである。
【０００５】
【課題を解決するための手段】
以上の課題を解決するため、請求項１記載の発明は、
圧子を介して所定の試験力を試料（例えば、試料Ｓ）に伝達し、試料に生じたくぼみから試料の硬さを測定する硬さ試験機において試料を固定するために用いられる硬さ試験機用試料固定装置（例えば、試料固定装置１０）であって、
前記試料を載置する載置面（例えば、載置面２ａ）が断面視略円弧状に隆起した曲面である試料台（例えば、試料台２）と、
前記試料台の前記載置面に沿って試料を押える試料押え部材（例えば、試料押えバンド３）と、
を備えたことを特徴とする。
【０００６】
請求項１記載の発明によれば、硬さを測定する試料を載置する試料台の載置面は、円弧状に隆起した曲面とされ、試料押え部材はその曲面に従いその載置面に当接されるので、フィルム状の試料はその載置面に対し、試料押え部材によりほぼ均等な力で付勢されることにより、試料は試料台により密着した状態に固定される。
よって、このような硬さ試験機用試料固定装置により、測定誤差の少ない、硬さ試験を行うことができる。
【０００７】
請求項２記載の発明は、請求項１に記載の硬さ試験機用試料固定装置において、
前記載置面の曲率が異なる複数の試料台が交換可能であることを特徴とする。
【０００８】
請求項２記載の発明によれば、請求項１に記載の発明と同様の効果が得られることは無論のこと、特に、硬さ試験機用試料固定装置は、載置面の曲率が異なる複数の試料台が交換可能であるので、試料の材質や剛性に応じた適切な曲率の曲面の載置面を有する試料台に交換することにより、より試料が試料台に密着した固定を行うことができる。
よって、このような硬さ試験機用試料固定装置により、測定誤差の少ない、硬さ試験を行うことができる。
【０００９】
請求項３記載の発明は、請求項１又は２に記載の硬さ試験機用試料固定装置において、
前記試料押え部材による前記試料台の前記載置面への当接力（例えば、力Ｆ）を調整する当接力調整手段（例えば、軸１ａ、軸受け１ｂ、可動ダイアル５ａ等）を備えたことを特徴とする。
【００１０】
請求項３記載の発明は、請求項１又は２に記載の発明と同様の効果が得られることは無論のこと、特に、硬さ試験機用試料固定装置は、試料押え部材による試料台の載置面への当接力を調整する当接力調整手段を備えているので、試料の材質や剛性に応じて当接力を調節することにより、より試料が試料台に密着した固定を行うことができる。
よって、このような硬さ試験機用試料固定装置により、測定誤差の少ない、硬さ試験を行うことができる。
【００１１】
【発明の実施の形態】
以下、図を参照して本発明の実施の形態を詳細に説明する。
図１は、本発明にかかる硬さ試験機用試料固定装置の斜視図である。図２は、同試料固定装置の正面図である。
図１、図２に示されるように、試料固定装置１０は、矩形の基礎板１と、その基礎板１の略中央に備えられた、断面視円弧状に隆起した曲面である載置面２ａを有する試料台２と、試料台２の載置面２ａに掛け渡された試料押え部材としての試料押えバンド３と、その試料押えバンド３の一方の端部が固定されるバンド固定部４と、試料押えバンド３の他方の端部が固定されるとともに、基礎板１に軸支される可動部５等により構成されている。
【００１２】
試料台２は、基礎板１上に、平行に対向して設けられた長尺板６、６と、その長尺板６、６との間に、長尺板６と垂直に設けられた短尺板７、７とで囲われる試料台取付位置Ｐに嵌入されている。
試料押えバンド３は、その端部がそれぞれ、２枚の挟持板８に挟持され、挟持板８、８とともに、ねじ９、９により、それぞれバンド固定部４と、可動部５の上面に固定されている。
また、試料押えバンド３の略中央には開口部３ａが設けられており、試料台２と試料押えバンド３に挟まれ、固定された試料Ｓの硬さ試験を行う際に、この開口部３ａにより露出した部分の試料に圧子（図示省略）が接触するようになっている。
【００１３】
可動部５は、その下端において、基礎板１に、当接力調整手段としての軸１ａ、軸受け１ｂを介して軸支されており、図３に示されるように、当接力調整手段としての可動ダイアル５ａの調節により軸１ａを中心に回動する。この回動により、試料押えバンド３にかかる張力を調整するとともに、試料押えバンド３が試料台２の載置面２ａに当接する当接力を調整する。
【００１４】
このような試料固定装置１０において、フィルム状の薄い試料Ｓを載置した試料台２に試料押えバンド３を掛け渡し、試料Ｓを固定する際、図４に示されるように、試料押えバンド３は、試料台２の載置面２ａの曲面に沿って密着するとともに、載置面２ａの各部にほぼ均等の力Ｆで当接する。従って、試料Ｓは、載置面２ａに対し、均等な力で付勢されるので、試料Ｓにうねりや波うちなどは生じにくく、載置面２ａに密着するように固定される。特に、可動部５の可動ダイアル５ａの調節により、試料押えバンド３が載置面２ａに当接する当接力を調整することができるので、試料Ｓの材質や剛性に応じ、最適な当接力により試料Ｓを固定することにより、より安定した固定を行うことができる。
【００１５】
また、この試料固定装置１０の試料台２は、試料台取付位置Ｐにおいて、他の部材と接着などの固定がされることなく、その長尺板６、６と短尺板７、７とで囲われる試料台取付位置Ｐに嵌入されて備えられているので、交換可能である。つまり、様々な曲率の曲面である載置面２ａを有する試料台２を、試料Ｓの材質や剛性等に応じ、最適な当接力により試料Ｓを固定するために交換することにより、より安定した試料Ｓの固定を行うことができる。
【００１６】
このように、本発明の試料固定装置１０は、硬さを測定するフィルム状の試料を載置する試料台２の載置面２ａは円弧状の曲面に形成されているので、試料台２に掛け渡され、載置面２ａに当接する試料押えバンド３は、試料台２の載置面２ａの各部にほぼ均等の力Ｆで当接し、載置面２ａ載置されたフィルム状の試料Ｓをほぼ均等な力で付勢することができるので、試料Ｓは載置面２ａに密着するように固定される。
【００１７】
よって、このような試料固定装置１０において、フィルム状の試料Ｓが試料台２に密着するように固定されることにより、測定誤差の少ない、硬さ試験を行うことができる。
【００１８】
なお、以上の実施の形態においては、可動部５は、軸１ａを中心に回動する機構により移動するとしたが、本発明はこれに限定されるものではなく、スライド軸などに沿いスライド移動する機構であってもよい。
また、試料押えバンド３は載置面２ａの曲面に沿い密着するものであれば、その材質等は任意であり、その他、具体的な細部構造等についても適宜に変更可能であることは勿論である。
【００１９】
【発明の効果】
請求項１記載の発明によれば、硬さを測定する試料を載置する試料台の載置面は、円弧状に隆起した曲面とされ、試料押え部材はその曲面に従いその載置面に当接されるので、フィルム状の試料はその載置面に対し、試料押え部材によりほぼ均等な力で付勢されることにより、試料は試料台により密着した状態に固定される。
よって、このような硬さ試験機用試料固定装置により、測定誤差の少ない、硬さ試験を行うことができる。
【００２０】
請求項２記載の発明によれば、請求項１に記載の発明と同様の効果が得られることは無論のこと、特に、硬さ試験機用試料固定装置は、載置面の曲率が異なる複数の試料台が交換可能であるので、試料の材質や剛性に応じた適切な曲率の曲面の載置面を有する試料台に交換することにより、より試料が試料台に密着した固定を行うことができる。
よって、このような硬さ試験機用試料固定装置により、測定誤差の少ない、硬さ試験を行うことができる。
【００２１】
請求項３記載の発明は、請求項１又は２に記載の発明と同様の効果が得られることは無論のこと、特に、硬さ試験機用試料固定装置は、試料押え部材による試料台の載置面への当接力を調整する当接力調整手段を備えているので、試料の材質や剛性に応じて当接力を調節することにより、より試料が試料台に密着した固定を行うことができる。
よって、このような硬さ試験機用試料固定装置により、測定誤差の少ない、硬さ試験を行うことができる。
【図面の簡単な説明】
【図１】本発明にかかる硬さ試験機用試料固定装置の斜視図である。
【図２】本発明にかかる硬さ試験機用試料固定装置の正面図である。
【図３】本発明にかかる硬さ試験機用試料固定装置の正面図である。
【図４】本発明にかかる試料固定装置における試料押えバンドが試料台に試料を付勢し、当接する力を示す説明図である。
【図５】従来の硬さ試験機用試料固定装置の斜視図である。
【図６】従来の試料固定装置における試料押えバンドが試料台に試料を付勢し、当接する力を示す説明図である。
【符号の説明】
１　　　基礎板
１ａ　　軸（当接力調整手段）
１ｂ　　軸受け（当接力調整手段）
２　　　試料台
２ａ　　載置面
３　　　試料押えバンド（試料押え部材）
３ａ　　開口部
４　　　バンド固定部
５　　　可動部
５ａ　　可動ダイアル（当接力調整手段）
６　　　長尺板
７　　　短尺板
８　　　挟持板
９　　　ねじ
１０　　試料固定装置（硬さ試験機用試料固定装置）
Ｓ　　　試料
Ｆ　　　力（当接力）
【図１】
2004028614.tif 000003
【図２】
2004028614.tif 000004
【図３】
2004028614.tif 000005
【図４】
2004028614.tif 000006
【図５】
2004028614.tif 000007
【図６】
2004028614.tif 000008